(57)【要約】【課題】赤蛍光体の発熱を他色の蛍光体に影響させることなく発光効率を改善する投影装置を提供すること。【解決手段】投影装置１０は、励起光ＬＢを出射する励起光源２１と、励起光ＬＢが照射される第１の蛍光板３２および第２の蛍光板３３とを有する光源装置２０を有する。第１の蛍光板３２は、回転制御可能に構成され、励起光ＬＢが照射される第１の蛍光体３２１が形成されている。第２の蛍光板３３は、励起光ＬＢが照射されることで第１の蛍光体３２１と異なる波長の蛍光光を出射する第２の蛍光体３３１が形成されている。従って、第１の蛍光体３２１に励起光ＬＢが照射されることによって発生した第１の蛍光板３２の熱が、第２の蛍光板３３に影響するのを防止できる。【選択図】  図４
2016045226.tif 000002
【特許請求の範囲】
【請求項１】
励起光を出射する励起光源と、
回転制御可能に構成され、前記励起光が照射される第１の蛍光体が形成された第１の蛍光板と、前記第１の蛍光板の回転軸と同軸を基準にして回転制御可能に構成され、前記励起光が照射されることで前記第１の蛍光体と異なる波長の蛍光光を出射する第２の蛍光体が形成された第２の蛍光板と、
を含む光源装置
を備えることを特徴とする投影装置。
【請求項２】
前記光源装置は、前記第１の蛍光板又は前記第２の蛍光板に設けられる拡散透過部を備えることを特徴とする請求項１に記載の投影装置。
【請求項３】
前記拡散透過部がガラス材料からなることを特徴とする請求項２に記載の投影装置。
【請求項４】
前記光源装置は、前記第１の蛍光板の回転軸と同軸を基準にして回転制御可能に構成され、前記励起光が拡散透過する拡散透過部を備えることを特徴とする請求項１に記載の投影装置。
【請求項５】
前記拡散透過部は樹脂材料からなることを特徴とする請求項４に記載の投影装置。
【請求項６】
励起光を出射する励起光源と、
回転制御可能に構成され、前記励起光が照射される第１の蛍光体が形成された第１の蛍光板と、前記励起光が照射されることで前記第１の蛍光体と異なる波長の蛍光光を出射する第２の蛍光体が形成された第２の蛍光板と、
を含む光源装置
を備え、
平面視して、前記第１の蛍光板と前記第２の蛍光板との間に隙間が形成されていることを特徴とする投影装置。
【請求項７】
前記光源装置は、拡散透過部を備えることを特徴とする請求項６に記載の投影装置。
【請求項８】
前記拡散透過部、前記第１の蛍光板及び前記第２の蛍光板は、円弧状に形成されていることを特徴とする請求項２から請求項５、請求項７のいずれか１項に記載の投影装置。
【請求項９】
前記励起光が青色であり、
前記第１の蛍光体又は前記第２の蛍光体のうちの一方が、前記励起光によって赤色に発光する蛍光体であり、他方が緑色に発光する蛍光体であることを特徴とする請求項１から請求項８のいずれか１項に記載の投影装置。
【請求項１０】
前記光源装置からの光を導光する導光装置と、
前記導光装置からの光を制御して投影光を形成する表示装置と、
前記表示装置からの光を投影照射する投影側光学系と、
を含むことを特徴とする請求項１から９のいずれか１項に記載の投影装置。
【発明の詳細な説明】
【技術分野】
【０００１】
本発明は、励起光を受けて発光する蛍光ホイールを用いた投影装置に関する。
【背景技術】
【０００２】
今日、パーソナルコンピュータの画面やビデオ画像、更にメモリカード等に記憶されている画像データによる画像等をスクリーンに投影する画像投影装置が多用されている。この投影装置は、光源から射出された光をＤＭＤ(Digital Mirror Device)と呼ばれるマイクロミラー表示素子、又は、液晶板に集光させ、スクリーン上にカラー画像を表示させるものである。
【０００３】
そして、投影装置は、パーソナルコンピュータやＤＶＤなどの映像機器の普及に伴って、業務用プレゼンテーションから家庭用に至るまで、用途が拡大している。このような投影装置において、従来は高輝度の放電ランプを光源とするものが主流であったが、近年、光源としてレーザダイオード等の半導体発光素子を用いる開発や提案が多々なされている。例えば、レーザダイオードによる青色の波長帯域光を射出する励起光源と、この励起光源から射出された光を吸収して可視光に変換する蛍光体の層を有し、モータによって回転駆動される蛍光ホイールと、を備えた投影装置が提案されている（例えば、特許文献１参照）。
【０００４】
特許文献１に記載の投影装置では、蛍光ホイールは、光透過性の物質からなる円盤状の蛍光ホイール本体を中心角１２０度ずつ３分割して、緑蛍光体、赤蛍光体、および青色光が透過する透明部を有する。この蛍光ホイールをモータで回転させながら指向性のある青色光を照射することで、蛍光ホイールから赤色、緑色、青色等の各色を順次射出することができる。
【先行技術文献】
【特許文献】
【０００５】
【特許文献１】特開２０１１−１７５０７７号公報
【発明の概要】
【発明が解決しようとする課題】
【０００６】
しかしながら、前述した特許文献１に記載の投影装置においては、蛍光ホイールを構成する緑蛍光体が形成された部分と赤蛍光体が形成された部分は同一円盤上にある。このため、他の短波長蛍光体よりも発熱特性が高い赤蛍光体の発する熱が、緑蛍光体が形成された部分に熱伝導し、発光効率が低下するという問題があった。
【０００７】
本発明は、従来の問題を解決するためになされたもので、赤蛍光体の発熱を他色の蛍光体に影響させることなく発光効率を改善する投影装置を提供することを目的とする。
【課題を解決するための手段】
【０００８】
本発明は、上記目的を達成するために以下の構成によって把握される。
（１）本願発明に係る投影装置は、励起光を出射する励起光源と、回転制御可能に構成され、前記励起光が照射される第１の蛍光体が形成された第１の蛍光板と、前記第１の蛍光板の回転軸と同軸を基準にして回転制御可能に構成され、前記励起光が照射されることで前記第１の蛍光体と異なる波長の蛍光光を出射する第２の蛍光体が形成された第２の蛍光板と、を含む光源装置を備える。
（２）本願発明に係る投影装置は、励起光を出射する励起光源と、回転制御可能に構成され、前記励起光が照射される第１の蛍光体が形成された第１の蛍光板と、前記励起光が照射されることで前記第１の蛍光体と異なる波長の蛍光光を出射する第２の蛍光体が形成された第２の蛍光板と、を含む光源装置を備え、平面視して、前記第１の蛍光板と前記第２の蛍光板との間に隙間が形成されている。
【発明の効果】
【０００９】
本発明によれば、赤蛍光体の発熱を他色の蛍光体に影響させることなく発光効率を改善する投影装置を提供することができる。
【図面の簡単な説明】
【００１０】
【図１】本発明に係る第１実施形態の投影装置を示す外観斜視図である。
【図２】本発明に係る第１実施形態の投影装置の内部構造を示す平面模式図である。
【図３】本発明に係る第１実施形態の投影装置における光源装置の平面模式図である。
【図４】（Ａ）は本発明に係る第１実施形態の投影装置における蛍光ホイールの平面図であり、（Ｂ）は蛍光ホイールを側面から見た側面図である。
【図５】本発明に係る第１実施形態の投影装置における蛍光ホイールの分解平面図である。
【図６】本発明に係る第２実施形態の投影装置における蛍光ホイールの分解平面図である。
【図７】本発明に係る第２実施形態の投影装置における蛍光ホイールの変形例の分解平面図である。
【図８】本発明に係る投影装置のその他変形例を示す図である。
【発明を実施するための形態】
【００１１】
（第１実施形態）
以下、本発明に係る第１実施形態の投影装置について、図面を用いて説明する。
図１に示すように、本発明に係る実施形態の投影装置１０は、例えば略直方体の箱状の本体ケース１１を有する。なお、以下の説明において、前後とは投影装置１０からの投影方向及び光線束の進行方向に対しての前後方向を示し、左右とは投影方向に対しての左右方向を示す。
【００１２】
本体ケース１１の前面の正面パネル１１１には、左側端部に投影口を覆うレンズカバー１２が設けられていると共に、複数の排気孔１３が設けられている。また、正面パネル１１１は、図示しないがリモートコントローラからの制御信号を受信するＩｒ受信部を備えている。
【００１３】
本体ケース１１の上面パネル１１２には、キー／インジケータ部１４が設けられている。
このキー／インジケータ部１４には、例えば、電源スイッチキーや電源のオン又はオフを報知するパワーインジケータ、投影のオン、オフを切りかえる投影スイッチキー、光源装置や表示素子又は制御回路等が過熱したときに報知する過熱インジケータ等のキーやインジケータが配置されている。
【００１４】
本体ケース１１の背面パネル１１３には、背面パネル１１３にＵＳＢ端子や画像信号入力用のＤ−ＳＵＢ端子、Ｓ端子、ＲＣＡ端子等を設ける入出力コネクタ部及び電源アダプタプラグ等の各種端子１５が設けられている。なお、本体ケース１１の側板である右側パネル１１４、及び、左側パネル１１５には、各々複数の吸気孔１６が形成されている。
【００１５】
次に、図２を参照しながら、投影装置１０の内部構造について説明する。
図２に示すように、投影装置１０は、本体ケース１１内部の正面パネル１１１側に光源装置２０と、光源装置２０の後方側に設けられた冷却ファン７２と、光源装置２０の後方側の冷却ファン７２の左側方に設けられた導光装置４０と、を備えている。
なお、冷却ファン７２の空気吐出口７２ａは、光源装置２０側に設けられ、光源装置２０の３つの光源からなる励起光源２１などを効率よく冷却できるようにしている。
【００１６】
また、投影装置１０は、本体ケース１１内部の左側後方に設けられた画像生成ブロック４１と、画像生成ブロック４１の前方側に位置し、光源装置２０と本体ケース１１の左側パネル１１５との間に設けられた投影側光学系５０とを備え、その投影側光学系５０の前方にレンズカバー１２が設けられている。
さらに、本体ケース１１内部の右側の右側パネル１１４の近傍には、電源回路ブロック７１等を取付けた電源制御回路基板７０が配置されている。
【００１７】
後ほど光源装置２０の構成については、詳細に説明するが、光源装置２０からは、順次、光の三原色である赤色、緑色、青色の波長の光が導光装置４０に送り込まれ、導光装置４０内に入射した光は、導光装置４０内を導波しながら、均一な強度分布の光束となり、導光装置４０から射出する。
【００１８】
この導光装置４０から出射した光は、画像生成ブロック４１の光軸変更ミラー４２や照射ミラー４４によって、光路が変換され、表示装置４３に照射されるように導かれるとともに、表示装置４３に照射されるまでの光路上に配置される複数枚の集光レンズによって、表示装置４３に照射するのに適した光束に集光される。
【００１９】
そして、表示装置４３は、例えば、ＤＭＤで構成されており、表示装置４３に照射された光は、ＤＭＤによって制御され、その制御された光が投影側光学系５０へと送られる。
なお、表示装置４３の後方側には、表示装置４３を冷却するための表示装置冷却部４５が配置されて、表示装置４３が高温となることを防止している。
【００２０】
投影側光学系５０は、例えば、固定鏡筒に内蔵する固定レンズ群５１と可動鏡筒に内蔵する可動レンズ群５２とを備えてズーム機能を備えた可変焦点型レンズとされており、手動又は電動（レンズモータ）により可動レンズ群５２を移動させることによりズーム調整やフォーカス調整を可能としている。
したがって、表示装置４３で制御されて投影側光学系５０へと送られた光は、投影側光学系５０で、適切なズームやフォーカス状態に制御されて画像を投影するスクリーンへと投影される。
【００２１】
次に、図３から図５を参照しながら光源装置２０の詳細な構成について説明する。
図３は、図２の光源装置２０の部分を主に拡大した拡大図である。
図３に示すように、光源装置２０は、励起光源２１、蛍光ホイール３０、および、レンズや反射ミラーなどからなる光源側光学系２５などを備えており、本実施形態では励起光源２１として３つの青色光源（本例では、青色レーザ）２２を用いている場合を示している。
【００２２】
青色光源２２から出射する励起光ＬＢは、青色光源２２にそれぞれ対向配置されたコリメートレンズ２３によって平行光に変換された後、階段状に配列された反射ミラー２４に入射する。
反射ミラー２４は、青色光源２２の出射光軸に対して略４５°の角度に傾斜するように配置されており、反射ミラー２４に入射した励起光ＬＢは、光路が略９０°変換され、蛍光ホイール３０側へと照射される。
【００２３】
なお、本実施形態では、励起光源２１を青色光源２２、コリメートレンズ２３および反射ミラー２４の組が３組設けられた構成を示しているが、３組に限定されるものではなく、組数は任意である。
【００２４】
図４（Ａ）には、蛍光ホイール３０の正面視（励起光が照射される面）を示しており、蛍光ホイール３０は、正面視で見たときに、励起光ＬＢを拡散透過する拡散透過部３４と、第１の蛍光体３２１が表面に形成された第１の蛍光板３２と、第２の蛍光体３３１が表面に形成された第２の蛍光板３３と、を備えている。
なお、以下では、第１の蛍光体３２１が励起光ＬＢによって赤色に発光する赤蛍光体であり、第２の蛍光体３３１が励起光ＬＢによって緑色に発光する緑蛍光体である場合について説明する。
【００２５】
後ほど、蛍光ホイール３０の詳細な構成については説明するが、拡散透過部３４、第１の蛍光板３２、及び、第２の蛍光板３３は、図４（Ａ）に示す円形状を保った状態で図中の矢印のように高速回転している。
このため、図３に示す蛍光ホイール３０の励起光ＬＢの光路上の位置３０Ａに、順次、拡散透過部３４、第１の蛍光板３２、並びに、第２の蛍光板３３が代わる代わる位置するので、拡散透過部３４、第１の蛍光板３２、並びに、第２の蛍光板３３に対して励起光ＬＢが順次照射されることになる。
【００２６】
図３に戻って、光源装置２０が、どのようにして光の三原色である赤色、緑色、青色の光を導光装置４０に送るのか構成を含め詳細に説明する。
先ず、蛍光ホイール３０の励起光ＬＢが照射される位置３０Ａに拡散透過部３４が位置し、導光装置４０に青色の波長の光が送られる場合について説明する。
【００２７】
上述したように、励起光源２１からの励起光ＬＢは、反射ミラー２４で蛍光ホイール３０側に反射される。
この反射した励起光ＬＢは、ダイクロイックミラー２５２ａに入射する。
ここで、ダイクロイックミラーは、特定の波長の光を反射し、その他の波長の光を透過する波長選択ミラーであり、本例では、ダイクロイックミラー２５２ａとして青色の波長の光以外を反射し、青色の波長の光を透過するダイクロイックミラーを用いている。
【００２８】
このため、ダイクロイックミラー２５２ａに入射した青色の波長の光である励起光ＬＢは、ダイクロイックミラー２５２ａを、そのまま透過し、集光レンズ群２５１により蛍光ホイール３０に集光する（光ＬＢ１参照）。
【００２９】
そして、蛍光ホイール３０の励起光ＬＢが照射される位置３０Ａには、拡散透過部３４が位置しているので励起光ＬＢは拡散透過し、集光レンズ群２５１を通って全反射ミラー２５３ａによって９０°の角度で反射されて光ＬＢ１と垂直に進む（光ＬＢ２参照）。
【００３０】
さらに、反射光ＬＢ２は、凸レンズ２５４ａを通り、全反射ミラー２５３ｂで９０°の角度で後方側に反射して（反射光ＬＢ３参照）、凸レンズ２５４ｂを通ってダイクロイックミラー２５２ｂに入射する。
【００３１】
このダイクロイックミラー２５２ｂは、先ほどのダイクロイックミラー２５２ａとは、逆に、青色の波長の光を反射し、それ以外の波長の光を透過するダイクロイックミラーを用いているため、青色の波長の光である励起光ＬＢ（反射光ＬＢ３参照）は、ダイクロイックミラー２５２ｂによって９０°の角度で反射されて凸レンズ２５５を通って、全反射ミラー２５３ｃに入射する（反射光ＬＢ４参照）。
【００３２】
そして、反射光ＬＢ４は、さらに、導光装置４０に入射するように、全反射ミラー２５３ｃで９０°の角度だけ方向を変えて後方側に進み、導光装置４０に入射する（光ＬＢ５参照）。
【００３３】
次に、導光装置４０に赤色、または、緑色の波長の光が入射する場合について、つまり、蛍光ホイール３０の励起光ＬＢが照射される位置３０Ａに第１の蛍光体３２１（赤蛍光体）、または、第２の蛍光体３３１（緑蛍光体）が位置する場合について詳細に説明する。
【００３４】
反射ミラー２４で蛍光ホイール３０側に反射された励起光源２１からの励起光ＬＢは、先ほどと同様にダイクロイックミラー２５２ａを透過し、集光レンズ群２５１により蛍光ホイール３０に集光する（光ＬＢ１参照）。
【００３５】
そして、蛍光ホイール３０の励起光ＬＢが照射される位置３０Ａには、第１の蛍光体３２１（赤蛍光体）、または、第２の蛍光体３３１（緑蛍光体）が位置している。
したがって、蛍光ホイール３０の励起光ＬＢが照射される位置３０Ａに第１の蛍光体３２１（赤蛍光体）が位置している場合には、赤色の波長の光が励起され、第２の蛍光体３３１（緑蛍光体）が位置している場合には、緑色の波長の光が励起される。
【００３６】
この励起された赤色、若しくは、緑色の波長の光は、ダイクロイックミラー２５２ａ側に向かって放射され、集光レンズ群２５１を通ってダイクロイックミラー２５２ａに入射する（光ＬＢ６参照）。
【００３７】
前述のように、ダイクロイックミラー２５２ａには、青色の波長の光を透過し、それ以外の波長の光を反射するダイクロイックミラーを用いているため、励起された赤色、若しくは、緑色の波長の光ＬＢ６は、ダイクロイックミラー２５２ａで９０°方向を変えるように反射されて凸レンズ２５４ｂを通ってダイクロイックミラー２５２ｂに入射する（反射光ＬＢ７参照）。
【００３８】
また、ダイクロイックミラー２５２ｂには、前述のとおり、青色の波長の光を反射し、それ以外の波長の光を透過するダイクロイックミラーを用いているので赤の波長の光、若しくは、緑の波長の光である反射光ＬＢ７は、そのままダイクロイックミラー２５２ｂを透過する。
【００３９】
このダイクロイックミラー２５２ｂを透過した反射光ＬＢ７は、先ほど説明した反射光ＬＢ４と同様の経路を経て、つまり、凸レンズ２５５を通って、全反射ミラー２５３ｃに入射し、全反射ミラー２５３ｃで導光装置４０に入射するように、光路が９０°変更されるように反射され、導光装置４０に入射する。
以上のようにして、光源装置２０は、導光装置４０に、順次、光の三原色である赤色、緑色、青色の波長の光を送り込む。
【００４０】
ところで、赤蛍光体に励起光が照射され、赤色の波長の光が励起される際に、赤蛍光体は高い熱を放出する。
そして、蛍光ホイールを同一の円盤上に赤蛍光体と緑色蛍光体を形成するようにするとともに、蛍光ホイールの一部に切欠きを設け、その切欠き部分を覆うように耐熱性が低い樹脂材料などで形成された拡散透過部を取付けるようにした構成の場合、赤蛍光体の発する熱が緑色蛍光体や拡散透過部に伝わり、緑色蛍光体の励起光率の低下や拡散透過部の熱劣化が発生するという問題がある。
そこで、本実施形態では、蛍光ホイール３０を以下のように構成するようにしている。
【００４１】
図５は、蛍光ホイール３０を形成するための部品構成を示す図である。
本実施形態では、図５に示すように、中心に円盤状の取付板３２２が形成され、その取付板３２２の外側に扇形状の部分が形成された金属板３２３を用い、その扇形状の部分の表面に赤蛍光体３２１を形成することで第１の蛍光板（赤蛍光板）３２を形成している。
【００４２】
同様に、中心に円盤状の取付板３３２が形成され、その取付板３３２の外側に扇形状の部分が形成された金属板３３３を用い、扇形状の部分の表面に緑蛍光体３３１を形成することで第２の蛍光板（緑蛍光板）３３を形成している。
【００４３】
さらに、中心に円盤状の取付板３４１を設け、その取付板３４１の外側に扇形状の樹脂からなる拡散透過部材３４２を取り付けることで拡散透過部３４を形成している。
【００４４】
そして、第１の蛍光板（赤蛍光板）３２、第２の蛍光板（緑蛍光板）３３および拡散透過部３４が、図４（Ａ）に示すような位置関係となるように、図４（Ｂ）に示すように、各取付板３２２、３３２、３４１を重ねるようにしてホイールモータ３１の回転軸３１１に取付け固定される。
したがって、ホイールモータ３１の回転軸３１１が回転すると、図４（Ａ）に示すような位置関係を保ったまま第１の蛍光板（赤蛍光板）３２、第２の蛍光板（緑蛍光板）３３および拡散透過部３４が高速に回転する。
【００４５】
上記のように、第１の蛍光板３２、第２の蛍光板３３、および、拡散透過部３４を別部品で構成しているので、第１の蛍光板３２の赤蛍光体３２１の熱が、第２の蛍光板３３の緑蛍光体３３１や拡散透過部３４の樹脂からなる拡散透過部材３４２に伝達されることが抑制され、緑蛍光体３３１の励起光率の低下や拡散透過部３４の樹脂からなる拡散透過部材３４２の熱劣化を回避することができる。
【００４６】
さらに、本実施形態では、図４（Ｂ）に示すように、各取付板３２２、３３２、３４１の間にセラミック等の断熱部材３９を介在させるようにしているので一段と熱の伝達を抑制することが可能になる。
【００４７】
なお、ホイールモータ３１の回転する胴体部３５の表面には、回転検出マーク３５１が設けられており、胴体部３５の外周面から所定距離離れて回転検出マーク３５１に対向可能な位置に、センサ基板３６に実装された回転検出センサ３６１が設けられている。
これにより、蛍光ホイール３０は、回転検出センサ３６１からの信号に基づいて、回転制御され、蛍光ホイール３０のどの部分に励起光ＬＢが照射されているかを把握することができるようになっている。
【００４８】
（第２実施形態）
次に、本発明に係る第２実施形態の投影装置を説明する。
なお、前述した第１実施形態の投影装置１０と共通する部位には同じ符号を付して、重複する説明を省略することとする。
上記で説明した第１実施形態では、拡散透過部３４に樹脂からなる拡散透過部材３４２を用いた例を示したが、拡散透過部材３４２の材料は、樹脂に限定されるものではなく、本第２実施形態では、拡散透過部材３４２にガラス材料を用いている。
【００４９】
第１実施形態の拡散透過部３４の拡散透過部材３４２を単純にガラス材料に置き換えてもよいが、ガラス材料の場合、樹脂に比べ耐熱性が高いので、図６に示すように、第１の蛍光板（赤蛍光板）３２にガラスからなる拡散透過部材３４２を取り付けるようにして第１の蛍光板（赤蛍光板）３２と拡散透過部３４とを一体化してもよい。
【００５０】
この場合も、第１の蛍光板（赤蛍光板）３２と第２の蛍光板（緑蛍光板）３３は、分離されているので第１の蛍光板３２の赤蛍光体３２１の熱が、第２の蛍光板３３の緑蛍光体３３１に伝わることがないので緑蛍光体３３１の励起光率が低下することを回避することができる。
また、図７に示すように、第２の蛍光板（緑蛍光板）３３にガラスからなる拡散透過部材３４２を取り付けるようにして第２の蛍光板（緑蛍光板）３３と拡散透過部３４とを一体化してもよいことは言うまでもない。
【００５１】
なお、図６を見るとわかるように、第２の蛍光板３３の扇形状は、比較的大きいので、図６に示すように、第１の蛍光板３２にガラスからなる拡散透過部材３４２を取り付けるようにすると、回転時の重量バランスが良くなるので好適である。
【００５２】
以上、具体的な実施形態を示して本発明の投影装置について説明を行ってきたが、本発明は、上記で説明してきた具体的な実施形態に限定されるものではない。
【００５３】
例えば、図８に示すように、第１の蛍光板３２の赤蛍光体３２１上に位置するように円弧状集光レンズ９１などを設けるようにしてもよい。
この円弧状集光レンズ９１は、上述したのと同様に中心に円盤状の取付板９０を設け、その取付板９０の外側に円弧状集光レンズ９１を取付けられるように構成されており、第１の蛍光板３２上に重ねるようにして取付け固定される。
【００５４】
図８を見るとわかるように、第１の蛍光板３２と第２の蛍光板３３が重ねるように取付けられているため、例えば、励起光の照射に適した位置が、図８の上下方向に見て第２の蛍光板３３の位置である場合、第１の蛍光板３２の励起光照射位置は、最適位置から少しズレることになる。
このような場合に、上記のように円弧状集光レンズ９１を設け励起光の赤蛍光体３２１への照射状態を微調整することでより適切な励起光の照射が可能となる。
【００５５】
なお、円弧状集光レンズ９１を拡散透過させるガラス板として励起光の赤蛍光体３２１への照射状態を微調整するようにしてもよい。
【００５６】
第１実施形態及び第２実施形態においては、図５乃至図７に示すように、第１の蛍光板３２と第２の蛍光板３３とが別部材で構成され、互いが異なる面となるように２層で形成したり、拡散透過部３４も独立した別部材として構成し、３層となるように形成したりした。この際、各部材の扇形の角度をやや大きく形成してやることで、異なる層に位置する各部材間の境界部分が、平面視して重なる領域を設けることができる。これにより、各部材間に隙間が発生することを確実に防止することができ、従って、拡散透過部３４、第１の蛍光板３２、並びに、第２の蛍光板３３に対して励起光ＬＢが順次照射される際、点灯状態が継続されていても問題が発生しないようにすることができる。
【００５７】
（第３実施形態）
次に、本発明に係る第３実施形態の投影装置を説明する。
蛍光ホイール３０は、拡散透過部３４、第１の蛍光板３２、及び、第２の蛍光板３３が、同一の取付板３４１に取り付けられ、全体で円形状となり同一面となるように形成されている。この際、第１の蛍光板３２と第２の蛍光板３３との間に、隙間が形成されている。隙間は、取付板３４１側から蛍光ホイール３０の外周に向かって拡がる方向となるように、取付板３４１の中心から所定の角度の扇形の隙間が形成されていても良いし、取付板３４１側から蛍光ホイール３０の外周に向かって同一幅で形成されていても良い。
このように隙間が形成されることで、第１の蛍光板３２の赤蛍光体３２１の熱が、第２の蛍光板３３の緑蛍光体３３１に伝達されることを抑制できる。
【００５８】
更に、第１の蛍光板３２と拡散透過部３４との間、拡散透過部３４と第２の蛍光板３３との間、においても隙間を形成することで、第１の蛍光板３２の赤蛍光体３２１の熱が、第２の蛍光板３３の緑蛍光体３３１だけでなく、拡散透過部３４に伝達されることも抑制できる。
このように、拡散透過部３４、第１の蛍光板３２、及び、第２の蛍光板３３が、同一の取付板３４１に取り付けられ、全体で円形状となり同一面に形成されているので、回転時の重量バランスを良くすることができる。
このように、本発明は、本発明の目的が達成される範囲で、適宜、変形や改良等を行ってもよく、そのような変形や改良を行った発明も本発明の技術的範囲に含まれるものである。
【００５９】
以下に、この出願の願書に最初に添付した特許請求の範囲に記載した発明を付記する。付記に記載した請求項の項番は、この出願の願書に最初に添付した特許請求の範囲の通りである。
＜請求項１＞
励起光を出射する励起光源と、
回転制御可能に構成され、前記励起光が照射される第１の蛍光体が形成された第１の蛍光板と、前記第１の蛍光板の回転軸と同軸を基準にして回転制御可能に構成され、前記励起光が照射されることで前記第１の蛍光体と異なる波長の蛍光光を出射する第２の蛍光体が形成された第２の蛍光板と、
を含む光源装置
を備えることを特徴とする投影装置。
＜請求項２＞
前記光源装置は、前記第１の蛍光板又は前記第２の蛍光板に設けられる拡散透過部を備えることを特徴とする請求項１に記載の投影装置。
＜請求項３＞
前記拡散透過部がガラス材料からなることを特徴とする請求項２に記載の投影装置。
＜請求項４＞
前記光源装置は、前記第１の蛍光板の回転軸と同軸を基準にして回転制御可能に構成され、前記励起光が拡散透過する拡散透過部を備えることを特徴とする請求項１に記載の投影装置。
＜請求項５＞
前記拡散透過部は樹脂材料からなることを特徴とする請求項４に記載の投影装置。
＜請求項６＞
励起光を出射する励起光源と、
回転制御可能に構成され、前記励起光が照射される第１の蛍光体が形成された第１の蛍光板と、前記励起光が照射されることで前記第１の蛍光体と異なる波長の蛍光光を出射する第２の蛍光体が形成された第２の蛍光板と、
を含む光源装置
を備え、
平面視して、前記第１の蛍光板と前記第２の蛍光板との間に隙間が形成されていることを特徴とする投影装置。
＜請求項７＞
前記光源装置は、拡散透過部を備えることを特徴とする請求項６に記載の投影装置。
＜請求項８＞
前記拡散透過部、前記第１の蛍光板及び前記第２の蛍光板は、円弧状に形成されていることを特徴とする請求項２から請求項５、請求項７のいずれか１項に記載の投影装置。
＜請求項９＞
前記励起光が青色であり、
前記第１の蛍光体又は前記第２の蛍光体のうちの一方が、前記励起光によって赤色に発光する蛍光体であり、他方が緑色に発光する蛍光体であることを特徴とする請求項１から請求項８のいずれか１項に記載の投影装置。
＜請求項１０＞
前記光源装置からの光を導光する導光装置と、
前記導光装置からの光を制御して投影光を形成する表示装置と、
前記表示装置からの光を投影照射する投影側光学系と、
を含むことを特徴とする請求項１から９のいずれか１項に記載の投影装置。
【符号の説明】
【００６０】
１０  投影装置
２０  光源装置
２１  励起光源
３１１  回転軸
３２  赤蛍光板（第１の蛍光板）
３２１  赤蛍光体（第１の蛍光体）
３３  緑蛍光板（第２の蛍光板）
３３１  緑蛍光体（第２の蛍光体）
３４  拡散透過部
４０  導光装置
４３  表示装置
５０  投影側光学系
ＬＢ  励起光
【図１】
2016045226.tif 000003
【図２】
2016045226.tif 000004
【図３】
2016045226.tif 000005
【図４】
2016045226.tif 000006
【図５】
2016045226.tif 000007
【図６】
2016045226.tif 000008
【図７】
2016045226.tif 000009
【図８】
2016045226.tif 000010